(57)【要約】【課題】間欠印刷機において、印刷から型抜きにわたる一連の工程をコンパクトな設置面積内で実施できるようにし、このとき連続用紙の印刷済み部と抜き位置との間にズレが生じることがなく、装置全体の稼働効率も高くなる。【解決手段】連続用紙Ｗに対して用紙送り方向に印刷される各印刷済み部ごとにそれらの輪郭を型抜きするための抜き装置として、平抜き装置１２を具備させた。カッター受台１３に対する用紙送り方向の一次側と二次側とに設ける送りローラ１７，１８は相互間隔一定のまま用紙送り方向に沿って往復動可能とされ、この往復動を、連続用紙Ｗの張り渡し面を一定に保持する直線動とさせた。【選択図】      図１
2004338833.tif 000002
【特許請求の範囲】
【請求項１】
用紙送りされる連続用紙（Ｗ）を挟んでその両面サイドに振り分け配置された状態で連続用紙（Ｗ）を型抜きすべく相互近接離反可能に設けられるカッター受台（１３）及びカッター（１４）と、カッター受台（１３）に対する用紙送り方向の一次側と二次側とに互いに軸心を平行させて設けられた連続用紙（Ｗ）巻掛け用の送りローラ（１７，１８）とを有し、これら一次側及び二次側の送りローラ（１７，１８）は相互間隔一定のまま用紙送り方向に沿って往復動可能とされており、このときの往復動が連続用紙（Ｗ）の張り渡し面を一定に保持する直線動とされていることを特徴とする平抜き装置。
【請求項２】
用紙送りされる連続用紙（Ｗ）を挟んでその両面サイドに振り分け配置された状態で連続用紙（Ｗ）を型抜きすべく相互近接離反可能に設けられるカッター受台（１３）及びカッター（１４）と、カッター受台（１３）に対する用紙送り方向の一次側と二次側とに互いに軸心を平行させて設けられた連続用紙（Ｗ）巻掛け用の送りローラ（１７，１８）とを有し、一次側及び二次側の送りローラ（１７，１８）は、それら相互間に張り渡される連続用紙（Ｗ）をカッター受台（１３）とカッター（１４）とが相対近接によって型抜きする位置に合わせて保持可能になっていることを特徴とする平抜き装置。
【請求項３】
前記一次側の送りローラ（１７）には軸心を平行させて一次側折り返しローラ（４０）が併設されていると共に二次側の送りローラ（１８）には軸心を平行させて二次側折り返しローラ（４１）が併設され、これら一次側及び二次側の折り返しローラ（４０，４１）との相互間隔が一次側及び二次側の送りローラ（１７，１８）の相互間隔より狭くされて一次側送りローラ（１７）と一次側折り返しローラ（４０）との間、及び二次側送りローラ（１８）と二次側折り返しローラ（４１）との間にそれぞれ連続用紙（Ｗ）の掛け渡し部分が形成されるようになっており、
上記一次側折り返しローラ（４０）は、一次側送りローラ（１７）と二次側送りローラ（１８）との間で張り渡される連続用紙（Ｗ）に対して一次側送りローラ（１７）と一次側折り返しローラ（４０）との間で掛け渡される連続用紙（Ｗ）が平行となるように、一次側送りローラ（１７）に対する位置付けが関係付けられており、且つ上記二次側折り返しローラ（４１）は、一次側送りローラ（１７）と二次側送りローラ（１８）との間で張り渡される連続用紙（Ｗ）に対して二次側送りローラ（１８）と二次側折り返しローラ（４１）との間で掛け渡される連続用紙（Ｗ）が平行となるように、二次側送りローラ（１８）に対する位置付けが関係付けられていることを特徴とする請求項１又は請求項２記載の平抜き装置。
【請求項４】
連続用紙（Ｗ）に正送りと逆送りとを交互に繰り返させながらも徐々に正送り方向へ用紙送りをして複数色印刷をする間欠印刷機において、上記連続用紙（Ｗ）に対して用紙送り方向に印刷される各印刷済み部ごとにそれらの輪郭を型抜きするための抜き装置を有しており、この抜き装置は、連続用紙（Ｗ）を挟んだ両面サイドにカッター受台（１３）及びカッター（１４）が振り分け配置されてこれらの相対近接離反動作で連続用紙（Ｗ）を型抜きする平抜き装置（１２）であることを特徴とする間欠印刷機。
【請求項５】
連続用紙（Ｗ）に正送りと逆送りとを交互に繰り返させながらも徐々に正送り方向へ用紙送りをして複数色印刷をする間欠印刷機において、上記連続用紙（Ｗ）に対して用紙送り方向に印刷される各印刷済み部ごとにそれらの輪郭を型抜きするための抜き装置を有しており、この抜き装置には請求項１乃至請求項３のいずれかに記載の平抜き装置（１２）が採用されていることを特徴とする間欠印刷機。
【発明の詳細な説明】
【０００１】
【発明の属する技術分野】
本発明は、間欠印刷機に関するものである。
【０００２】
【従来の技術】
間欠印刷機は、連続用紙に正送りと逆送りとを交互に繰り返させながらも徐々に正送り方向へ用紙送りをして複数色印刷をするものである（特許文献１及び特許文献２等参照）。この種の間欠印刷機によって印刷された連続用紙には、同一パターンの印刷済み部が用紙送り方向に沿って整然と並んだ状態になるが、個々の印刷済み部はその後、輪郭を個別に型抜きすることによってラベル等として用いることが多い。この場合、この連続用紙において印刷面とされる側がラベル用紙とされ、その裏面には糊が塗布され、またこの糊塗布面には離型紙が貼付されている。すなわち、この連続用紙に対しては、ラベル用紙の各印刷済み部ごとにそれらの輪郭をラベル用紙の厚さ分だけ型抜きし（離型紙までは切断しないようにし）、印刷済み部の周辺に形成されるフレーム状（梯子状）の抜き滓を取り除くという作業が必要になる。
【０００３】
この型抜きを行わせるための抜き装置として、ロータリー印刷機で多用される平抜き方式の採用が検討されている。図７に示すように、従来における平抜き方式の抜き装置（以下、「平抜き装置」と言う）１００は、連続用紙Ｗの下面サイドに設けられるカッター受台１０１と、連続用紙Ｗの上面サイドに設けられる平形のカッター１０２とを有し、このうちカッター受台１０１に上下動（カッター１０２へ向けた近接離反動）をさせ、型抜きさせるものである。
カッター受台１０１に対する用紙送り方向の一次側と二次側とには、互いに軸心を平行させて送りローラ１０３，１０４を設け、一次側の送りローラ１０３には、これと軸心平行で一次側折り返しローラ１０５を併設させると共に、二次側の送りローラ１０４には、これと軸心平行で二次側折り返しローラ１０６を併設させてあった。また、一次側送りローラ１０３を折り返しローラ１０５の軸心中心に揺動自在とさせると共に、二次側送りローラ１０４を折り返しローラ１０６の軸心中心に揺動自在とさせ、更にこれら両送りローラ１０３，１０４を、相互間隔一定のままリンク動作させる機構（平行リンク機構）としてあった。
【０００４】
従って、この平抜き装置１００では、一次側及び二次側の送りローラ１０３，１０４を連続用紙Ｗの用紙送り方向に沿って行ったり来たりさせ、このうち用紙送り方向と逆方向への移動時にカッター受台１０１やカッター１０２と連続用紙Ｗとの相対速度をゼロにし、そのうえでカッター受台１０１にカッター１０２へ向けた型抜き動作をさせていた。
なお、一次側送りローラ１０３と二次側送りローラ１０４との間で張り渡される連続用紙Ｗのテンションは、一次側送りローラ１０３よりも更に一次側で正逆駆動可能に設けられる巻出ローラと、二次側送りローラ１０４よりも更に二次側で正逆駆動可能に設けられる巻取ローラとの回転速度のバランスにより、これら巻出ローラから巻取ローラまでの全体領域の中で所定に保持させてあった。すなわち、連続用紙Ｗの正送り時では巻出ローラ（図９に例示する間欠印刷機１２０で言えば巻出ローラ１３０に相当）より巻取ローラ（図９に例示する間欠印刷機１２０で言えば巻取ローラ１３１に相当）を僅かに速く正回転させ、反対に連続用紙Ｗの逆送り時では巻取ローラ（１３１）より巻出ローラ（１３０）を僅かに速く逆回転させていた。
【０００５】
【特許文献１】
特開平９−１３６３９６号公報
【特許文献２】
特開平１０−１００３６８号公報
【０００６】
【発明が解決しようとする課題】
図７に示した平抜き装置１００では、両送りローラ１０３，１０４の往復動に平行リンク機構を採用しているため、これら両送りローラ１０３，１０４の相互間で張り渡される連続用紙Ｗは、全体として山なりの円弧カーブを描きながら用紙送りされる。すなわち、図８に示すようにこの用紙送りには高さｈの上下動成分が加わっている。
しかも、カッター受台１０１は型抜きのための上昇時に連続用紙Ｗを突き上げるようになっていたため、型抜きを終わってカッター受台１０１が元の待機位置（二点鎖線参照）まで下降するとき、両送りローラ１０３，１０４の相互間に張り渡された連続用紙Ｗには、この突き上げ分に相当してテンションに緩みが発生することになる。しかし、上記した巻出ローラと巻取ローラ（図９中の符号１３０〜１３１参照）の回転速度差だけでは、次サイクルでカッター受台１０１が再び上昇するまでの短い時間中にこのテンションの緩みを回復させることはできなかった。
【０００７】
これらのことから、カッター受台１０１やカッター１０２と連続用紙Ｗとを相対的に停止させる位置精度に誤差が生じ、結果、印刷済み部と抜き位置の間にズレが生じることになっていた。それ故従来は、間欠印刷機に対して平抜き装置１００を組み込むことはできないものとされていた。
従って、図９に示すように間欠印刷機１２０には、これと別個独立した平抜き装置１２３（図例では２台の抜き部１２４を具備している）を並設し、これら間欠印刷機１２０と平抜き装置１２３との間に連続用紙Ｗの停止時間を吸収させるための撓み空間１２５を形成させ、平抜き装置１２３側に巻取装置１２６を装備させるという構成にせざるを得なかった。しかし、これによって間欠印刷機１２０と平抜き装置１２３との全体的な設置面積が大きくなり、またこれら間欠印刷機１２０と平抜き装置１２３とのそれぞれに作業者を配置しなければならなくなり、更に間欠印刷機１２０が何らかの理由で停止させたとき等には平抜き装置１２３との連動性を図るのが難しいなど、種々の問題があった。
【０００８】
本発明は、上記事情に鑑みてなされたものであって、印刷から型抜きに渡る一連の工程をコンパクトな設置面積内で実施できるようにし、そのうえで連続用紙の印刷済み部と抜き位置との間にズレが生じることは防止し、装置全体の稼働効率を高めた間欠印刷機を提供することを目的とする。
また本発明は、この間欠印刷機を実現させるうえで主要部となる平抜き装置を提供することを目的とする。
【０００９】
【課題を解決するための手段】
前記目的を達成するために、本発明は次の手段を講じた。
即ち、本発明に係る平抜き装置１２は、用紙送りされる連続用紙Ｗを挟んでその両面サイドに振り分け配置された状態で連続用紙Ｗを型抜きすべく相互近接離反可能に設けられるカッター受台１３及びカッター１４と、カッター受台１３に対する用紙送り方向の一次側と二次側とに互いに軸心を平行させて設けられた連続用紙Ｗ巻掛け用の送りローラ１７，１８とを有している。
【００１０】
そして、これら一次側及び二次側の送りローラ１７，１８は相互間隔一定のまま用紙送り方向に沿って往復動可能とされており、このときの往復動が連続用紙Ｗの張り渡し面を一定に保持する直線動とされている。その結果、一次側及び二次側の送りローラ１７，１８が往復動してもこれら両送りローラ１７，１８間で張り渡される連続用紙Ｗは、用紙送り方向以外の変動（上下動）を起こすことはない。
すなわち、一次側及び二次側の送りローラ１７，１８は、それら相互間に張り渡される連続用紙Ｗを、カッター受台１３とカッター１４とが相対近接によって型抜きする位置（レベル）に合わせて保持可能になっている。
【００１１】
一次側の送りローラ１７には軸心を平行させて一次側折り返しローラ４０を併設し、また二次側の送りローラ１８には軸心を平行させて二次側折り返しローラ４１を併設すればよい。これら一次側及び二次側の折り返しローラ４０，４１との相互間隔は、一次側及び二次側の送りローラ１７，１８の相互間隔より狭くしておく。これにより、一次側送りローラ１７と一次側折り返しローラ４０との間、及び二次側送りローラ１８と二次側折り返しローラ４１との間に、それぞれ連続用紙Ｗの掛け渡し部分が形成されるようになる。
【００１２】
このようにする場合、一次側折り返しローラ４０は、一次側送りローラ１７と二次側送りローラ１８との間で張り渡される連続用紙Ｗに対して一次側送りローラ１７と一次側折り返しローラ４０との間で掛け渡される連続用紙Ｗが平行となるように、一次側送りローラ１７に対する位置付けを関係付けるのが好適である。
また同様に、二次側折り返しローラ４１は、一次側送りローラ１７と二次側送りローラ１８との間で張り渡される連続用紙Ｗに対して二次側送りローラ１８と二次側折り返しローラ４１との間で掛け渡される連続用紙Ｗが平行となるように、二次側送りローラ１８に対する位置付けを関係付けるのが好適である。
【００１３】
このような構成とすることで、一次側送りローラ１７と二次側送りローラ１８との間で張り渡される連続用紙Ｗに対して、一次側送りローラ１７と一次側折り返しローラ４０との間、及び二次側送りローラ１８と二次側折り返しローラ４１との間で掛け渡される連続用紙Ｗが、それぞれ平行となるので、一次側の送りローラ１７と一次側折り返しローラ４０との間で掛け渡される連続用紙Ｗの長さや、二次側の送りローラ１８と二次側折り返しローラ４１との間で掛け渡される連続用紙Ｗの長さは、一次側及び二次側の送りローラ１７，１８が往復動する移動量と同じ変化量となる。従って、カッター受台１３に対する連続用紙Ｗの相対停止位置にズレが生じず、印刷済み部と抜き位置との間にズレが生じることもない。
【００１４】
一方、本発明に係る間欠印刷機１は、連続用紙Ｗに正送りと逆送りとを交互に繰り返させながらも徐々に正送り方向へ用紙送りをして複数色印刷をするものであって、連続用紙Ｗに対して用紙送り方向に印刷される各印刷済み部ごとにそれらの輪郭を型抜きするための抜き装置を有している。そしてこの抜き装置は、連続用紙Ｗを挟んだ両面サイドにカッター受台１３及びカッター１４が振り分け配置されて、これらの相対近接離反動作で連続用紙Ｗを型抜きする平抜き装置とされている。この平抜き装置には本発明の平抜き装置１２を採用すればよい。
【００１５】
【発明の実施の形態】
以下、本発明の実施の形態を、図面に基づき説明する。
図１乃至図５は、本発明に係る間欠印刷機１の一実施形態を示している。
図１に示すように、この間欠印刷機１は、連続用紙Ｗの新ロールを保持して巻き出す巻出部２と、印刷が終わった連続用紙Ｗを巻き取る巻取部３と、これら巻出部２から巻取部３に至る用紙送り経路中に設けられた複数の印刷装置５〜９とを有したもので、連続用紙Ｗは、各印刷装置５〜９に順繰りに通されている。
【００１６】
巻出部２のすぐ二次側（後述する一次側送りローラ１７の一次側）には正逆駆動可能な巻出ローラ１０が設けられていると共に、巻取部３の一次側（後述する二次側送りローラ１８の二次側）には正逆駆動可能な巻取ローラ１１が設けられており、連続用紙Ｗは、これら両ローラ１０，１１を正回転させたときの正送りと、反対に両ローラ１０，１１を逆回転させたときの逆送りとが交互に繰り返されながらも、徐々に正送り方向へ用紙送りされるようになっている。そしてこのとき、正送り時では巻出ローラ１０より巻取ローラ１１が僅かに速く正回転され、反対に逆送り時では巻取ローラ１１より巻出ローラ１０が僅かに速く逆回転されることにより、これら巻出ローラ１０から巻取ローラ１１までの全体領域の中で連続用紙Ｗのテンションが所定に保持されるようになっている。このようにして巻取部３で巻き取られる連続用紙Ｗには、複数色印刷による同一パターンの印刷済み部が用紙送り方向に沿って整然と並んだものとされる。
【００１７】
またこの間欠印刷機１は、印刷装置５〜９の中で用紙送り方向の最も最終位置となるもの（９）と巻取部３との間に、平抜き方式を採用した抜き装置（以下、「平抜き装置」と言う）１２を有している。
図２に示すように、この平抜き装置１２は、用紙送りされる連続用紙Ｗに対してその一方面サイド（下面サイド）にカッター受台１３を有し、他方面サイド（上面サイド）にカッター１４を有している。カッター１４は固定され、カッター受台１３はカッター１４へ向けた近接離反（上下動）により型抜き動作可能に設けられている。またこのカッター受台１３に対する用紙送り方向の一次側（図２左側）には一次側送りローラ１７が設けられており、二次側（同、右側）には二次側送りローラ１８が設けられている。
【００１８】
図３に示すように、これら一次側及び二次側の両送りローラ１７，１８は、互いの軸心が平行する状態でローラフレーム１９によって両端支持されるようになっており、もって互いの間隔及び平行度は不変に保持されている。このローラフレーム１９は、一次側及び二次側の両送りローラ１７，１８が並べられた方向の延長方向へ長手方向を向けた左右一対のガイドレール２０により、スライド自在に保持されている。また左右のガイドレール２０はそれぞれ、互いに所定間隔をおいて立設される左右の装置側板２１，２２により、それらの対向内面で保持されている。このうち一方の装置側板２２には、ガイドレール２０に沿って開口する長孔２３が設けられており、上記ローラフレーム１９から側方へ突出するように設けられた伝動用突起２５が、この長孔２３を介して装置側板２２の外方へ突出するようになっている。この伝動用突起２５にはリンクアーム２６の一端部が揺動自在に接続されている。
【００１９】
図４に示すように、装置側板２２の外側には駆動アーム２７が揺動自在に設けられており、この駆動アーム２７には、そのアーム長さ方向に沿って送りネジ機構２８が設けられている。この送りネジ機構２８は、駆動アーム２７のアーム長さ方向で移動ナット２９を移動可能とさせたもので、この移動ナット２９に対し、上記したリンクアーム２６の他端部が揺動自在に接続されている。この送りネジ機構２８を操作すれば、移動ナット２９の位置付け変更を介してローラフレーム１９の移動速度を調整でき、結果、両送りローラ１７，１８間で張り渡される連続用紙Ｗの表面速度を調整できことになるので、装置の組み立て時やメンテナンス等に便利となる。また印刷装置５〜９においてシリンダを直径の異なるものと交換する必要が生じた場合、これに対応できることになる。
【００２０】
駆動アーム２７には、これを揺動自在に支持する揺動軸部３０を超えて反対側（図４の下方）へ延びる作用杆３３が設けられており、この作用杆３３の先端部にはカムフォロワー３４が設けられている。
図５に示すように、このカムフォロワー３４は、装置側板２２の外側に設けられたカムギヤ３６に対しその裏面に凹設されたカム溝３７に嵌合されている。このカム溝３７は、カムギヤ３６の回転中心に対して偏心した位置付けで且つやや変形した円形に形成されている。またカムギヤ３６は伝動ギヤ３８を介してモータ駆動可能とされている。
【００２１】
図２に示したように、上記した一次側の送りローラ１７には一次側折り返しローラ４０が軸心平行状態で併設されており、二次側の送りローラ１８には二次側折り返しローラ４１が軸心平行状態で併設されている（図３では省略した）。これら一次側折り返しローラ４０及び二次側折り返しローラ４１は、一次側及び二次側の両送りローラ１７，１８間で張り渡される連続用紙Ｗに対して、その一方面側（図２の下方）に揃う位置付けとなっており、それぞれ装置側板２１，２２の相互間で定位置にて回転自在に保持されている。また、これら一次側及び二次側の折り返しローラ４０，４１との相互間隔は、一次側及び二次側の送りローラ１７，１８の相互間隔より狭くなっている。これにより、一次側送りローラ１７と一次側折り返しローラ４０との間、及び二次側送りローラ１８と二次側折り返しローラ４１との間には、それぞれ連続用紙Ｗの掛け渡し部分が形成されるようになる。
【００２２】
一次側折り返しローラ４０は、一次側及び二次側の両送りローラ１７，１８間で張り渡される連続用紙Ｗに対して、一次側送りローラ１７と一次側折り返しローラ４０との間で掛け渡される連続用紙Ｗが平行となるように、一次側送りローラ１７に対する位置付けが関係付けられている。また、一次側の送りローラ１７がローラリンク１９のスライドによってどんなに移動しようとも、一次側の送りローラ１７と一次側折り返しローラ４０との間を連続用紙Ｗが掛け渡される状態は維持されるような位置関係（要は、一次側送りローラ１７が一次側折り返しローラ４０よりも外側で往復動するような位置関係）となっている。
【００２３】
同様に、二次側折り返しローラ４１は、一次側及び二次側の両送りローラ１７，１８間で張り渡される連続用紙Ｗに対して、二次側送りローラ１８と二次側折り返しローラ４１との間で掛け渡される連続用紙Ｗが平行となるように、二次側送りローラ１８に対する位置付けが関係付けられている。また、二次側の送りローラ１８がローラリンク１９のスライドによってどんなに移動しようとも、二次側の送りローラ１８と二次側折り返しローラ４１との間を連続用紙Ｗが掛け渡される状態は維持されるような位置関係（要は、二次側送りローラ１８が二次側折り返しローラ４１よりも外側で往復動するような位置関係）となっている。
【００２４】
このような構成とされた平抜き装置１２では、カムギヤ３６が回転駆動されると、カム溝３７によってカムフォロワー３４が案内される動きにしたがって駆動アーム２７が揺動し、この駆動アーム２７の揺動がリンクアーム２６を介してローラフレーム１９へ伝えられ、このローラフレーム１９がガイドレール２０に沿ってスライドすることを受けて一次側及び二次側の両送りローラ１７，１８が相互間隔を保持したまま往復動することになる。
そしてこのとき、一次側及び二次側の送りローラ１７，１８の往復動は、ガイドレール２０に支配された直線動であることから、図６に示すように、これら両送りローラ１７，１８間で張り渡される連続用紙Ｗの張り渡し面は一定レベルを保ち、変動（上下動）することは殆どない。
【００２５】
すなわち、一次側及び二次側の送りローラ１７，１８は、それら相互間に張り渡される連続用紙Ｗを、カッター受台１３とカッター１４とが相対近接によって型抜きする位置（レベル）に合わせて保持可能になっている。
しかも、両送りローラ１７，１８間で張り渡される連続用紙Ｗは、一次側送りローラ１７と一次側折り返しローラ４０との間で掛け渡される連続用紙Ｗや、二次側送りローラ１８と二次側折り返しローラ４１との間で掛け渡される連続用紙Ｗに対して常に平行であるから、一次側の送りローラ１７と一次側折り返しローラ４０との間で掛け渡される連続用紙Ｗの長さや、二次側の送りローラ１８と二次側折り返しローラ４１との間で掛け渡される連続用紙Ｗの長さは、一次側及び二次側の両送りローラ１７，１８が往復動する移動量と同じ変化量となる。
【００２６】
このようなことから、カッター受台１３に対する連続用紙Ｗとの相対停止位置にズレが生じず、連続用紙Ｗに印刷装置５〜９を経ることによって設けられた個々の印刷済み部と、これらに対する抜き位置との間にズレが生じることもない。従って、各印刷済み部ごとにそれらの輪郭が正確に抜かれるようになる。
ところで、本発明は、上記実施形態に限定されるものではなく、実施の形態に応じて適宜変更可能である。
例えば、カッター受台１３とカッター１４との上下関係やいずれが動作側になるかなどは特に限定されるものではない。
【００２７】
【発明の効果】
以上の説明から明らかなように、本発明に係る間欠印刷機は、平抜き装置を具備したものであって、印刷から型抜きにわたる一連の工程をコンパクトな設置面積内で実施できる。勿論、連続用紙の印刷済み部と抜き位置との間にズレが生じることはなくなり、装置全体の稼働効率も高くなる。また本発明に係る平抜き装置により、このような間欠印刷機の構成が可能になった。
【図面の簡単な説明】
【図１】本発明に係る間欠印刷機を示す側面図である。
【図２】図１中の一部（平抜き装置）を拡大して示す側面図である。
【図３】図２に対応する斜視図である。
【図４】図３中の一部（駆動アームの駆動部分周辺）を拡大して示した側面図である。
【図５】図４のＡ−Ａ線拡大断面図である。
【図６】本発明に係る平抜き装置の動作状況を説明した図である。
【図７】従来の間欠印刷機への組み込みを試された平抜き装置の側面図である。
【図８】従来の平抜き装置における動作状況を説明した図である。
【図９】従来において別々の間欠印刷機と平抜き装置とを並設した状況を示した側面図である。
【符号の説明】
１    間欠印刷機
１２    平抜き装置
１３    カッター受台
１４    カッター
１７    一次側の送りローラ
１８    二次側の送りローラ
４０    一次側折り返しローラ
４１    二次側折り返しローラ
Ｗ    連続用紙
【図１】
2004338833.tif 000003
【図２】
2004338833.tif 000004
【図３】
2004338833.tif 000005
【図４】
2004338833.tif 000006
【図５】
2004338833.tif 000007
【図６】
2004338833.tif 000008
【図７】
2004338833.tif 000009
【図８】
2004338833.tif 000010
【図９】
2004338833.tif 000011